(57)【特許請求の範囲】
【請求項１】
ＦＭ多重放送の受信回路を有し、放送局から送信されてくる多数のテレビ番組データ及びそのリモートコントロールコードを受信する受信手段と、
この受信手段で受信した前記多数のテレビ番組データ及びリモートコントロールコードを記憶する記憶手段と、
この記憶手段に記憶された多数のテレビ番組データを表示し、表示された番組の中から所望のテレビ番組を選択指定する選択指定手段と、
この選択指定手段で選択指定したテレビ番組の前記リモートコントロールコードを送信する送信手段と、
前記選択指定手段により選択指定された所望のテレビ番組データを記憶する選択指定番組記憶手段と、
この選択指定番組記憶手段に所望のテレビ番組が記憶された後に、前記受信手段で受信されるテレビ番組データに基づいて前記所望のテレビ番組データに変更があるか否かを判別する判別手段と、
この判別手段で変更があると判別された場合に報知する報知手段とを備えることを特徴とするリモートコントロール装置。
【発明の詳細な説明】
【０００１】
【発明の属する技術分野】
本発明は、ビデオデッキ、テレビ等のビデオ機器を制御するリモートコントロール装置に関する。
【０００２】
【従来の技術】
従来、ビデオデッキで録画予約する場合、ユーザが番組表を見て録画したい番組の放送日、チャンネル、曜日、放送開始時刻、終了時刻を調べ、ビデオデッキのリモコンのキーを操作してそれらの情報を入力する必要があり、入力操作が煩雑で誰もが簡単に行えるとは言えなかった。そのため、機械操作に慣れた人でも入力を誤り、目的とする番組が録画されていなかったりすることがあった。
【０００３】
そこで、より簡単に録画予約を行う方法としてＧコードを用いるビデオプラスと呼ばれる方法が一般的になってきている。この方法は、録画したい番組のＧコードを番組表で確認し、そのＧコードをリモコンの数値キーを操作して入力してビデオデッキに転送すると、録画したい番組のチャンネル、日付け、曜日、開始時刻、終了時刻が自動的に設定されるので、入力操作の誤りが少なくなり、録画予約の失敗を少なくできる。
【０００４】
【発明が解決しようとする課題】
しかしながら、このＧコードを用いた番組予約の方法でも、ユーザは番組表を見ながら何桁もあるＧコードをリモコンの小さなキーを操作して入力しなければならず操作が面倒であった。また、１桁でも数値を間違えて入力すると、エラーとなり再度キー操作をやり直すか、そのＧコードに該当する別の番組が登録されてしまうので、予約した結果を確認する必要があった。新聞などの番組表の小さな活字で印刷されたＧコードを見ながら、手元のリモコンのキーを操作して正確にＧコードを入力するのはなかなかやっかいであり、キー操作になれた人でも間違えることがある。ビデオ機器の操作に不慣れな高齢者などにとっては使い易いシステムとは言えなかった。
【０００５】
他方、最近、ＦＭ放送に音楽の曲名、天気予報、交通情報、ニュースなどを多重して放送することが行われている。このＦＭ多重放送システムを利用してより多様な情報を送信することが考えられる。
【０００６】
本発明の課題は、録画予約などを簡単な操作で行えるリモートコントロール装置を提供することである。
【０００７】
【課題を解決するための手段】
本発明は、上記課題を解決するため、ＦＭ多重放送の受信回路を有し、放送局から送信されてくる多数のテレビ番組データ及びそのリモートコントロールコードを受信する受信手段と、この受信手段で受信した前記多数のテレビ番組データ及びリモートコントロールコードを記憶する記憶手段と、この記憶手段に記憶された多数のテレビ番組データを表示し、表示された番組の中から所望のテレビ番組を選択指定する選択指定手段と、この選択指定手段で選択指定したテレビ番組の前記リモートコントロールコードを送信する送信手段と、前記選択指定手段により選択指定された所望のテレビ番組データを記憶する選択指定番組記憶手段と、この選択指定番組記憶手段に所望のテレビ番組が記憶された後に、前記受信手段で受信されるテレビ番組データに基づいて前記所望のテレビ番組データに変更があるか否かを判別する判別手段と、この判別手段で変更があると判別された場合に報知する報知手段とを備えることを特徴とするリモートコントロール装置を提供するものである。
【０００８】
本発明によれば、受信したテレビ番組データの中からユーザが録画したいと思うテレビ番組を選択することで、選択した番組のリモートコントロールコードをビデオデッキ等に送信することができるので、録画予約のための面倒なキー操作が不要となり、誰もが簡単に録画予約を行うことができる。
【０００９】
【発明の実施の形態】
以下、本発明の実施例を図面を参照しながら説明する。図１は、本発明の前提となるＦＭ多重放送システムの説明図である。
【００１０】
この放送システムでは、通常のＦＭ放送の電波に多重してテレビ番組データ、例えばチャンネル、番組名、放送日、放送開始時刻、終了時刻及びＧコード等が送信される。そして、各家庭でビデオデッキ等の制御に用いられる、本発明のリモートコントロール装置は、ＦＭ多重放送の受信機能を有し、受信したテレビ番組データをメモリに記憶すると共に、記憶してあるテレビ番組データを表示することができる。そして、ユーザが表示された番組の中から録画したい番組を選択することで、その番組のＧコードをビデオデッキに送信することができるようになっている。
【００１１】
図２は、本発明の実施例のリモートコントロール装置１の外観図である。同図において、操作部２には、図示していないがテレビのチャンネルを選択するための１から１２の数値キーと、ＦＭ放送局を選択するためのチューニングキー、上下、左右カーソルキー、リモートコントロールコードを送信するための転送キー等が設けられている。
【００１２】
ＬＣＤ表示部３は、受信した番組データ等を表示する表示部であり、このＬＣＤ表示部３には、図３に示すように５個の番組が表示される。また、５個の番組が表示される位置には、図２に示すように透明スイッチ４が設けられており、該当する位置の透明スイッチ４をオンさせることでユーザの希望する番組を選択することができる。そして、転送キーをオンすることで、ユーザが選択した番組のＧコードがリモコン送信部５からビデオデッキに送信され録画予約が行われる。
【００１３】
次に、リモートコントロール装置１の回路構成を図４を参照して説明する。アンテナ１１で受信されたＦＭ電波は、ＦＭチューナ１２Ａ及び１２Ｂに出力される。ＦＭチューナ１２Ａは、主に音声信号を受信するためのチューナであり、ＦＭチューナ１２Ｂは、音声信号に多重されてくるデータを受信するためのチューナである。ＦＭ復調器１３Ａは、ＦＭチューナ１２Ａで同調された信号を復調してステレオ復調器１４へ出力する。ステレオ復調器１４は、ＦＭ復調器１３Ａから出力されるＬ＋Ｒ信号と、Ｌ−Ｒ信号からそれぞれＬ信号と、Ｒ信号を復調し、音声アンプ１５を介して左右のヘッドホーン１６Ｒ、１６Ｌに出力する。
【００１４】
ＦＭ復調器１３Ｂは、ＦＭチューナ１２Ｂから出力される信号をＦＭ復調し、復調した結果をＬ−ＭＳＫ復調器１７へ出力する。Ｌ−ＭＳＫ復調器１７は、ＦＭ復調器１３Ｂから出力される信号をＬ−ＭＳＫ(Level controlled Minimum Shift Keying) 復調し誤り訂正復号器１８へ出力する。誤り訂正復号器１８は、入力信号の誤りを訂正して制御部１９へ出力する。
【００１５】
制御部１９は、ＦＭ放送の受信時には、キー入力部２０（操作部２）のチューニングキーの操作に従って受信チャンネルの変更をチューニング制御回路２１に指示する。制御部１９は、ＲＯＭ２２に記憶されている制御プログラムに従って、後述するＦＭラジオ受信処理、ＦＭ多重情報受信処理、ＴＶ番組予約モード処理等を実行し、受信したテレビ番組データをＲＡＭ２３に記憶する。また、制御部１９は、ＴＶ番組予約モードにおいて、ＲＡＭ２３に記憶してある番組データを表示部２４に表示し、ユーザにより選択されたテレビ番組のＧコードを送信部２５（リモコン送信部５）からビデオデッキ等に送信する。また、制御部１９は、必要に応じてブザー２８を駆動してブザー音を報音する。
【００１６】
ＥＥＰＲＯＭ２６には、装置の電源をオフした後にも記憶しておく必要のある情報、例えばＦＭチューナ１３Ａで最後に受信したチャンネルなどが記憶される。また、ＲＡＭ２７には、テレビ番組データ以外のデータが記憶される。
【００１７】
ＲＡＭ２３は、図５に示すように入力バッファ３１と、情報メモリ３２と、表示バッファ３３とから構成されている。制御部１９は、誤り訂正復号器１８から「１」、「０」の２値データからなる多重情報を受け取ると、入力バッファ３１に一旦書き込んだ後、２値データを文字データに変換し情報メモリ３２に書き込む。そして、ユーザによりカーソルキーが操作されて次の多重情報の表示が要求されると、ポインタ（図示せず）の指す情報メモリ３２の次の多重情報を読み出して表示バッファ３３に転送し表示部２４へ表示する。
【００１８】
次に、以上のような構成の実施例の概略動作を、図６のフローチャートを参照して説明する。
電源オンキーが操作されると（図６、Ｓ１）、制御部１９によりＥＥＰＲＯＭ２５に記憶されている最後に受信したチャンネルを示すデータが読み出され、チューニング制御回路２１を介してＦＭチューナ１２Ａの受信チャンネルがそのチャンネルに設定される（Ｓ２）。そして、その設定されたチャンネルを受信する（Ｓ３）。次のステップＳ４で何らかキーの入力操作が行われたか否かを検出し、キー操作が行われた場合には、操作されたキーに対応する処理を実行する。
【００１９】
ステップＳ４の判別で、操作されたのが受信周波数を変更するチューニングキーであると判別された場合には、ステップＳ５のＦＭラジオ受信処理を実行する。
【００２０】
図７は、ＦＭ放ラジオ受信処理のフローチャートである。操作されたのが受信周波数を上げる方向のチューニングキーであった場合には、制御部１９はチューニング制御回路２１にＦＭチューナ１２Ａの受信周波数を上げるように指示し、受信周波数を下げる方向のチューニングキーであった場合には、チューニング制御回路２１にＦＭチューナ１２Ａの受信周波数を下げるように指示する（図７、Ｓ１１）。そして、変更した周波数のチャンネルを受信する（Ｓ１２）。
【００２１】
ステップＳ４の判別で、操作されたのが情報キーであると判別された場合には、ステップＳ６のＦＭ多重情報受信処理を実行する。
図８は、ＦＭ多重情報受信処理のフローチャートである。まず、制御部１９は、チューニング制御回路２１を介して、指定されたチャンネルの受信をＦＭチューナ１２Ｂに指示し、そのチャンネルにおいて放送されている多重情報の取り込みを指示する。これにより、ＦＭチューナ１２Ｂは、指示されたチャンネルの放送電波を受信し、ＦＭ復調器１３ＢはＦＭチューナ１２Ｂで受信された信号をＦＭ復調し、復調した信号に含まれる多重情報を分離する。分離された多重情報は、Ｌ−ＭＳＫ復調器１７へ出力されＬ−ＭＳＫ復調される、さらに誤り訂正復号器１８において誤り訂正処理が行われた後、制御部１９へ出力される（図８、Ｓ２１）。
【００２２】
次に、放送電波を正常に受信できた否かにより指定したチャンネルで現在放送が行われているか否かを判断する（Ｓ２２）。
ステップＳ２２の判別で、指定されたチャンネルで現在放送が行われていると判別された場合には、ステップＳ２３に進み受信データをＲＡＭ２３の情報メモリ３２に格納する。そして、その受信データを表示部２４へ表示する（Ｓ２４）。
【００２３】
ここで、情報メモリ３２に記憶される多重情報について図９を参照して説明する。ＦＭ放送局からは多重情報として図９に示す曲名、歌手名、ニュース、交通情報、ＴＶ番組情報などが放送電波に多重されて送信されてくる。なお、多重情報の伝送速度は毎分約６２３ページ（１ページ、３０文字）である。
【００２４】
リモートコントロール装置１は、それらの情報を受信し情報メモリ３２に格納する。実施例のリモートコントロール装置１の情報メモリ３２は、図１０に示すように放送局毎に番組番号、ページ番号順に情報を記憶する記憶領域が設けられており、各放送局について最大２５６番組、１番組当たり６４ページ分の情報を記憶できるようになっている。
【００２５】
この情報メモリ３２には、図１１（Ａ）に示すようにＴＶ番組情報として放送局から送信されてくる放送日、チャンネル、放送開始時刻、終了時刻、番組名及びＧコードを記憶する複数の記憶領域からなるテレビ番組メモリ３２ａが設けられている。
【００２６】
また、情報メモリ３２には、図１１（Ｂ）に示すように、表示部２４にテレビ番組データが表示された状態で透明スイッチ４を操作してユーザが選択したテレビ番組データを記憶する予約済メモリ３２ｂが設けられている。この予約済メモリ３２ｂには、放送日、チャンネル、放送開始時刻、終了時刻、番組名及びそのテレビ番組の内容に変更が有ったか否かを示す１ビットの情報が記憶される。
【００２７】
ユーザは、この予約済メモリ３２ｂに記憶されている番組情報を表示させることで、録画予約を行った番組が何かを確認することができる。
図８に戻り、ステップＳ２２の判別で、指定された放送チャンネルの電波が受信できず、そのチャンネルで現在放送が行われていないと判別された場合には、ステップＳ２５に進みそのチャンネルで現在放送が行われていないことを表示する。
【００２８】
ステップＳ２４またはＳ２５の次には、何らかのキー操作か行われた否かを判別する（Ｓ２６）。そして、番組選択のために上下カーソルキーが操作され場合には、ポインタを更新して情報メモリ３２の次の多重情報を読み出し、その多重情報を表示バッファ３３に転送し、さらに表示バッファ３３の多重情報を表示部２４へ表示させた後、ステップＳ２６に戻る（Ｓ２７）。
【００２９】
一方、ページ選択のために左右カーソルキーが操作された場合には、情報メモリ３２に記憶されている各番組の最大６４ページの情報の次のページの情報を読み出し、上述した番組選択と同様に表示バッファ３３に転送し、その情報を表示部２４へ表示した後、ステップＳ２６に戻る（Ｓ２８）。
【００３０】
他方、チャンネル変更のためにチューニングキーが操作された場合には、ステップＳ２９に進み受信周波数を次のチャンネルの周波数に合わせた後、ステップＳ２１に戻る。
【００３１】
また、操作されたのが上下カーソルキー、左右カーソルキー及びチューニングキー以外の他のキーであると判別された場合には、情報キー、テレビ番組予約キー等が操作された場合であるので、図６のステップＳ４以降の処理に戻る。
【００３２】
図６に戻り、操作されたのがＴＶ番組予約キーであると判別された場合には、ステップＳ７のＴＶ番組予約モード処理を実行する。
以下、このＴＶ番組予約モード処理の内容を、図１２のフローチャートを参照しながら説明する。
【００３３】
ＴＶ番組を予約する場合には、ユーザはリモートコントロール装置１の数値キーを操作して最初に日付とチャンネルを入力する（図１２、Ｓ３１及びＳ３２）。日付とチャンネルが入力されると、制御部１９は、情報メモリ３２の該当する日付及びチャンネルのテレビ番組データを番号の早いものから順に５個読み出す（Ｓ３３）。
【００３４】
図１３（Ａ）は、ＴＶ番組予約モードの表示の一例を示す図である。同図は、１１月１２日の１チャンネルのテレビ番組データを示しており、番組番号順、つまり放送開示時刻順に５個のテレビ番組データが表示されている。
【００３５】
図１２に戻り、表示部２４の透明キー（スイッチ）４がユーザにより操作されたか否かを判別する（Ｓ３４）。
ユーザにより表示部２４に表示されている５個の番組のいずれかを指定する透明キー４が操作された場合には、情報メモリ３２にそのテレビ番組名に対応して記憶されているＧコードを読み出し、そのＧコードを送信部２５に出力して送信部２５からビデオデッキにそのＧコードを送信させる（Ｓ３５）。次に、ユーザにより選択指定されたテレビ番組データを予約済メモリ３２ｂに記憶する（Ｓ３６）。予約済メモリ３２ｂに複数のテレビ番組データが記憶されている場合には、番組データを番号順に並べ替える（Ｓ３７）。
【００３６】
ステップＳ３４で、操作されたのが透明キー４ではないと判別された場合には、ステップＳ３８に進み下スクロールキーの操作か否かを判別する。
操作されたのが下スクロールキーであった場合には、情報メモリ３２に記憶されている同じ日付で同じチャンネルの次の５個のテレビ番組データを読み出し、それらのテレビ番組データを表示部２４に表示する（Ｓ３９）。
【００３７】
ステップＳ３８の判別で、操作されたのが下スクロールキーではないと判別された場合には、ステップＳ４０に進み上スクロールキーの操作か否かを判別する。操作されたのが上スクロールキーであった場合には、情報メモリ３２に記憶されている同じ日付及びチャンネルで、現在表示している番組より前の５つのテレビ番組データを読み出し、それらのテレビ番組データを表示部２４に表示する（Ｓ４１）。
【００３８】
ステップＳ４０の判別で、操作されたのが上カーソルキーではないと判別された場合には、ステップＳ４２に進み操作されたのが終了キーか否かを判別し、終了キーであればそこで処理を終了する。また、操作されたのが終了キーでなければ、上述したステップＳ３４に戻る。
【００３９】
このＴＶ番組予約モードでは、ユーザは日付及びチャンネルを指定し、さらに上下カーソルキーを操作することで、指定された日付及びチャンネルのテレビ番組データを順に表示させることができる。そして、ユーザが録画予約したい番組が表示されたら、予約したい番組の表示されている位置の透明キー４をオンすることで、録画したいテレビ番組を選択することができる。このように透明キー４をオンすれば、選択した番組のＧコードが送信部２５からビデオデッキに送信される。
【００４０】
従って、テレビ番組の録画予約する際に、従来のように番組表を見ながらリモートコントロール装置１の数値キーを操作してＧコードを入力する必要が無く、ユーザは表示部２４に表示されるテレビ番組データを選択するだけでよいので、誰でも簡単に録画予約を行うことができる。
【００４１】
図６に戻り、操作されたキーが予約確認キーであった場合には、ステップＳ８の予約済番組表示モード処理を実行する。以下、この予約済番組表示モード（予約確認モード）処理の内容を、図１４のフローチャートを参照して説明する。
【００４２】
先ず、予約済メモリ３２ｂに登録されているテレビ番組データのうちで終了時刻を過ぎた番組データを消去する（図１４、Ｓ５１）。次に、予約済メモリ３２ｂに登録されているテレビ番組データと、情報メモリ３２のテレビ番組メモリ３２ａに記憶されているテレビ番組データとを比較し、録画予約の後に番組内容が変更されたか否かをチェックする（Ｓ５２）。
【００４３】
例えば、予約された番組の放送日時、チャンネルと一致するテレビ番組をテレビ番組メモリ３２ａから検索し、同じ時間帯に別のテレビ番組が記憶されている場合には、予約操作の後に番組の放送時間等が変更されたものと判断する。その場合には、予約済メモリ３２ｂの対応する変更フラグに「１」を設定する（Ｓ５３）。さらに、予約済メモリ３２ｂに登録されているテレビ番組データのうちで放送開始時刻が現在時刻に近い５個の番組をサーチし、それらのテレビ番組データと番組内容の変更の有無を示すデータを表示する（Ｓ５４）。
【００４４】
図１３（Ｂ）は、予約確認モードにおける表示の一例を示す図である。同図に示すように、予約確認モードに切り換えると、現在時刻に近い５個のテレビ番組データが表示される。同図において１１月７日、２０時０分〜２１時０分に８チャンネルで放送される番組名「ＣＤＥドラマ」の横に黒マークが表示されているのは、予約設定後に番組内容に変更があったことを示している。
【００４５】
録画予約の行われた５個のテレビ番組データを表示したなら、次に、下スクロールキーがオンされたか否かを判別する（Ｓ５５）。下スクロールキーがオンされた場合には、予約済メモリ３２ｂに登録されているテレビ番組データの内で表示されているテレビ番組データの次に現在時刻に近い５個のテレビ番組データを表示する（Ｓ５６）。
【００４６】
ステップＳ５５の判別で、操作されたのが下スクロールキーではないと判別された場合には、ステップＳ５７に進み上スクロールキーがオンされたか否かを判別する。上スクロールキーがオンされた場合には、表示部２４に表示されているテレビ番組データより放送開始時刻が前の５個のテレビ番組データと番組内容の変更の有無を示すデータとを表示する（Ｓ５８）。
【００４７】
ステップＳ５７の判別で、操作されたのが上スクロールキーではないと判別された場合には、ステップＳ５９に進み透明キー４がオンされたか否かを判別する。そして、透明キー４がオンされた場合には、表示部２４に表示されている５個のテレビ番組データの内で透明キー４で選択指定されたテレビ番組データを、予約済メモリ３２ｂから消去し、次に記憶されているテレビ番組データを順につめる（Ｓ６０）。
【００４８】
ステップＳ５９の判別で、操作されたのが透明キー４ではないと判別された場合には、ステップＳ６１に進み終了キーがオンされたか否かを判別する。終了キーがオンされた場合にはそこで処理を終了する。また、操作されたのが終了キーでない場合には、ステップＳ５５に戻り上述したキーの判別を繰り返す。
【００４９】
この予約確認モードにおいては、ユーザは予約したテレビ番組データを順に表示させて予約内容を確認することができる。さらに、録画予約が行われた番組を表示する際に、番組内容に変更があったものについては変更あったことを示す情報が表示されるので、その表示を見て再度情報メモリ３２に記憶されているテレビ番組データを確認して予約の変更等を行うことができる。
【００５０】
次に、異なるメーカのビデオ機器のコントロールコードを送信できるようにした本発明の第２実施例を図１５〜図１７を参照して説明する。
上述した実施例では、リモートコントロール装置１がＧコードの送信機能を有する場合について説明したが、Ｇコードの予約機能を持たないビデオ機器もある。そこで、この第２実施例では、受信したテレビ番組データを、それぞれのメーカのリモートコントロールコードに変換して送信できるようにした。
【００５１】
図１５の回路ブロック図において、第１実施例の図４の回路と同じ部分には同じ符号を付け、それらの回路の説明は省略する。図１５において、時計回路４１は、図示しないクロック発生回路で生成されるクロック信号を計数して時刻を計時する。この時計回路４１で計時された時刻データはリモコン信号送信制御回路４２に出力される。
【００５２】
リモコン信号送信制御回路４２は、前述した予約済メモリ３２ｂに記憶されているテレビ番組データの内でユーザにより選択されたテレビ番組のテレビ番組データを、制御対象機器及びメーカにより定まるリモコン信号に変換して送信部４４へ出力する機能を有している。送信部４４は、リモコン信号送信制御回路４２から出力される制御対象ビデオ機器のリモコン信号を赤外線のリモコン信号に変換して外部に出力する。
【００５３】
制御機器及びメーカ設定スイッチ４３は、制御対象のビデオ機器の種類、型番、メーカ名を設定するスイッチであり、ユーザがこれらの情報を設定することで、リモコン信号送信制御回路４２において制御対象ビデオデッキ、あるいはテレビ等に適合したリモコン信号を作成することができる。
【００５４】
以下、この第２実施例について第１実施例と異なる部分の動作を図１６及び図１７のフローチャートを参照して説明する。
図１６は、図１２のＴＶ番組予約モード処理と異なる部分のみを示したフローチャートである。
【００５５】
この第２実施例では、図１２のステップＳ３４〜Ｓ３７の処理の代わりに図１６のステップＳ７１〜Ｓ７３の処理が実行される。
すなわち、日付及びチャンネルが指定され５個の番組データが表示された状態で透明キー４がオンされると（図１６、Ｓ７１、ＹＥＳ）、透明キー４により選択指定されたテレビ番組データが予約済メモリ３２ｂに記憶される（Ｓ７２）。このとき、選択指定されたテレビ番組データ、すなわち放送日、チャンネル、放送開始時刻、終了時刻等からなるデータがリモコン信号送信制御回路４２に出力され、リモコン信号送信制御回路４２により制御対象機器に合ったリモコン信号に変換されて送信部４４に出力される。そして、送信部４４から外部に送信される。その後、予約済メモリ３２ｂに記憶されている予約データを放送開始時刻の早いもの順に並べ替える（Ｓ７３）。
【００５６】
次に、第２実施例のリモートコントロール装置１でユーザがテレビ番組の予約を行った後、ビデオデッキにリモコン信号を送信するときの処理内容を、図１７のフローチャートを参照して説明する。
【００５７】
先ず、録画中フラグＦが「１」か否によりビデオデッキで現在録画中か否かを判断する（図１７、Ｓ８１）。録画中フラグＦはビデオデッキにおいて、ユーザの予約した番組が現在録画中か否かを示すフラグである。この録画中フラグＦは、予約メモリ３２ｂに登録さているテレビ番組の開始時刻と、計時回路４１で計時される現在時刻とを比較し、現在時刻が放送開始時刻を過ぎていて、かつ終了時刻に達していない番組が存在する場合に「１」が設定され、それ以外のとき「０」となっている。
【００５８】
録画中フラグＦ≠１で録画中でない場合には、ステップＳ８２に進み予約済メモリ３２ｂに登録されている次の録画予約番組の開始時刻となったか否かを判別する。現在時刻が次の録画予約番組の開始時刻となった場合には、送信部４４からビデオ機器の電源をオンさせる電源オン信号を送信する（Ｓ８３）。さらに、次の録画予約番組のチャンネルを指定する信号を送信する（Ｓ８４）。そして、録画開始信号を送信し（Ｓ８５）、録画中フラグＦを「１」にして（Ｓ８６）、ステップＳ８１に戻る。
【００５９】
ステップＳ８１で録画中フラグＦが「１」であると判別された場合には、ステップＳ８７に進み現在時刻が録画中の番組の終了時刻に達したか否かを判別する。終了時刻に達した場合には、送信部４４から録画停止信号を送信し（Ｓ８８）、さらにビデオデッキの電源をオフさせる電源オフ信号を送信する（Ｓ８９）。そして、予約済メモリ３２ｂから録画した番組のテレビ番組データを消去し（Ｓ９０）、予約済メモリ３２ｂに他のテレビ番組が登録されているか否かを調べ、他のテレビ番組が登録されていれば、ステップＳ８１に戻り上述した処理を繰り返す。このとき、予約済メモリ３２ｂに他のテレビ番組が登録されていなければそこで処理を終了する。
【００６０】
この第２実施例によれば、Ｇコードによる録画機能を有しないビデオデッキや、メーカ毎に異なるリモコン信号により制御されるテレビ等を受信したテレビ番組データに基づいて制御することができる。
【００６１】
例えば、リモートコントロール装置１の記憶部に受信したテレビ番組データを記憶し、記憶してあるテレビ番組データを表示させ、その中からユーザが見たいテレビ番組を選択しておくと、放送開始時刻となったときリモートコントロール装置からビデオデッキやテレビに電源オン信号と、その番組の放送されるチャンネルを指定するチャンネル信号を送信することができる。従って、ユーザが番組の放送時刻を忘れてしまった場合でも、放送開始時刻に自動的にビデオデッキやテレビの電源がオンされてその番組を見ることができる。また、録画予約機能を有するビデオデッキでも、録画予約状態に設定しなくともユーザが見たいテレビ番組を録画、あるは見ることができる。
【００６２】
なお、上述した実施例では、ＦＭ多重放送により番組情報を送信する場合について説明したが、ＦＭ放送に限らず、テレビ放送電波に多重してテレビ番組データを送信する場合にも本発明は適用できる。
【００６３】
また、上述した実施例では、ＦＭチューナを２個設け多重情報を受信しているときにも通常のＦＭ放送を受信できるようにしたが、ＦＭチューナを１個にしてＦＭ放送と多重情報のどちらかを受信できるようにしてもよい。
【００６４】
さらに、本発明はリモートコントロール装置の専用装置に限らず、電子式計算機、電子手帳などの小型電子機器と兼用できるようにしてもよい。
【００６５】
【発明の効果】
本発明によれば、ＦＭ多重放送により送信されてくるテレビ番組データ及びリモートコントロールコードを受信し、受信したテレビ番組データの中からユーザの希望する番組を選択することで、例えば番組予約のために必要なリモートコントロールコードがビデオデッキ等に送信されるので、従来のように面倒なリモートコントロールコードの入力が不要となり、誰でも簡単にビデオ機器の録画予約ができる。また、所望の番組が記憶された後に、その所望の番組データに変更があるか否かを判別することができる。
【図面の簡単な説明】
【図１】テレビ番組データを送信するＦＭ多重放送システムの説明図である。
【図２】実施例のリモートコントロール装置の外観図である。
【図３】リモートコントロール装置に表示されるテレビ番組データの説明図である。
【図４】リモートコントロール装置の回路ブロック図である。
【図５】ＲＡＭ２３の構成を示す図である。
【図６】実施例の概略動作を示すフローチャートである。
【図７】ＦＭラジオ受信処理のフローチャートである。
【図８】ＦＭ多重情報受信処理のフローチャートである。
【図９】放送局から送信されるばんぐ番組情報の説明図である。
【図１０】情報メモリ３２の構成を示す図である。
【図１１】同図（Ａ）は、テレビ番組データメモリ３２ａの構成を示す図であり、同図（Ｂ）は、予約済メモリ３２ｂの構成を示す図である。
【図１２】ＴＶ番組予約モード処理のフローチャートである。
【図１３】同図（Ａ）は、ＴＶ番組予約モードの表示例を示す図であり、同図（Ｂ）は、予約確認モードの表示例を示す図である。
【図１４】予約確認モード処理のフローチャートである。
【図１５】第２実施例の回路ブロック図である。
【図１６】第２実施例のＴＶ番組予約モード処理の変更部分を示すフローチャートである。
【図１７】第２実施例のリモートコントロールコードの送信処理のフローチャートである。
【符号の説明】
１２Ａ、１２Ｂ    ＦＭチューナ
１３Ａ、１３Ｂ    ＦＭ復調器
１８            制御部
２０            キー入力部
２４            表示部
２５、４４      送信部
３２            情報メモリ
【図１】
0003764988.tif 000002
【図２】
0003764988.tif 000003
【図３】
0003764988.tif 000004
【図４】
0003764988.tif 000005
【図５】
0003764988.tif 000006
【図６】
0003764988.tif 000007
【図７】
0003764988.tif 000008
【図８】
0003764988.tif 000009
【図９】
0003764988.tif 000010
【図１０】
0003764988.tif 000011
【図１１】
0003764988.tif 000012
【図１２】
0003764988.tif 000013
【図１３】
0003764988.tif 000014
【図１４】
0003764988.tif 000015
【図１５】
0003764988.tif 000016
【図１６】
0003764988.tif 000017
【図１７】
0003764988.tif 000018